【事件の表示】
　特願２０１２−　９１８４０「無線デバイス上に常駐するデータセットのバージョンを更新するシステム及び方法」拒絶査定不服審判事件〔平成２４年　９月２０日出願公開、特開２０１２−１８１８５０〕について、次のとおり審決する。
【結　論】
　本件審判の請求は、成り立たない。
【理　由】
第１　手続の経緯
　特願２００３−５６４６９６号が，２００３年１月３１日（パリ条約による優先権主張外国庁受理，２００２年１月３１日（以下，「優先日」という。），アメリカ合衆国）に国際出願され，該出願を原出願とする特許法第４４条第１号の規定による新たな特許出願として，特願２００９−１３４５８９号が，平成２１年６月４日に出願され，該出願を原出願とする特許法第４４条第１号の規定による新たな特許出願として，本件審判に係る出願（以下，「本願」という。）が，平成２４年４月１３日に出願され，平成２４年５月１４日付けで特許法第１８４条の４第１項の規定による翻訳文が提出され，平成２４年５月１４日付けで審査請求がなされると共に同日付けで手続補正がなされた。
　そして，平成２４年１１月３０日付けで拒絶理由通知（平成２４年１２月４日発送）がなされ，これに対して平成２５年２月７日付けで意見書が提出されると共に同日付けで手続補正がなされたが，平成２５年８月７日付けで拒絶査定（平成２５年８月２０日謄本送達）がなされた。
　これに対して，「原査定を取り消す。本願は特許をすべきものである，との審決を求める。」ことを請求の趣旨として平成２５年１２月２０日付けで審判請求がなされると共に同日付けで手続補正がなされ，平成２６年２月１４日付けで審査官により特許法第１６４条第３項に定める報告がなされた。
　
　
第２　平成２５年１２月２０日付けの手続補正についての補正却下の決定
　
［補正却下の決定の結論］
　
　平成２５年１２月２０日付けの手続補正を却下する。
　
［理由］
　
１　補正の内容
　
　平成２５年１２月２０日付けの手続補正（以下，「本件補正」という。）の内容は，平成２５年２月７日付け手続補正により補正された特許請求の範囲の請求項１ないし請求項３５の記載
　
「　　【請求項１】
　無線ネットワークを介して通信する無線デバイスであって，
各々がそれぞれバージョンを有する複数のソフトウェア・オブジェクトをサポートするためのコンピュータ・プラットフォームを備え，
　前記コンピュータ・プラットフォームは，
　　前記複数のソフトウェア・オブジェクトを格納するメモリと，
　　前記複数のソフトウェア・オブジェクトをサポートするための，前記メモリに結合されたプロセッサとを備え，
　前記プロセッサは，
　　（ａ）前記メモリに格納された前記複数のソフトウェア・オブジェクトの各々に関連付けられた前記バージョンをそれぞれ格納するデバイス・バージョン・サマリ・ファイルを前記メモリ内に生成し，
　　（ｂ）（ａ）の後，前記無線デバイスが，前記無線ネットワークを介したサーバとの通信セッションを開くことと，バージョン更新トランザクションを実行することと，前記バージョン更新トランザクションの後，前記通信セッションを閉じる，ように構成され，
　前記バージョン更新トランザクションは，
　　（ｂ）（１）前記無線デバイスへのダウンロードのために利用可能な前記サーバに格納された各ソフトウェア・オブジェクトに関連付けられたバージョンをそれぞれ格納するサーバ・バージョン・サマリ・ファイルを前記サーバが有するかどうかを判定することと，
　　（ｂ）（２）前記サーバがサーバ・バージョン・サマリ・ファイルを有していると判定された場合，前記サーバ・バージョン・サマリ・ファイルを検索することと，
　　前記デバイス・バージョン・サマリ・ファイルを前記サーバ・バージョン・サマリ・ファイルと自動的に比較して，前記メモリに格納された複数のソフトウェア・オブジェクトのうちのどれが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記ソフトウェア・オブジェクトの更新された各バージョンを，前記サーバから前記無線デバイスに自動的にダウンロードし，ダウンロードされ更新された各ソフトウェア・オブジェクトをインストールすることとを備える，
無線デバイス。
　　【請求項２】
　前記複数のソフトウェア・オブジェクトは，前記コンピュータ・プラットフォームで実行するための少なくとも１つのアプリケーションを備える請求項１に記載の無線デバイス。
　　【請求項３】
　前記少なくとも１つアプリケーションはゲームを備える請求項２に記載の無線デバイス。
　　【請求項４】
　前記少なくとも１つのアプリケーションは，前記サーバとともに確立された前の通信セッションの間に前記サーバからダウンロードされたアプリケーションを備える請求項２に記載の無線デバイス。
　　【請求項５】
　前記少なくとも１つのアプリケーションは，前記無線デバイスの製造の間に前記無線デバイスに提供されたアプリケーションを備える請求項２に記載の無線デバイス。
　　【請求項６】
　前記複数のソフトウェア・オブジェクトは，前記コンピュータ・プラットフォームの少なくとも１つのソフトウェア構成要素を備える請求項１に記載の無線デバイス。
　　【請求項７】
　前記複数のソフトウェア・オブジェクトは，前記コンピュータ・プラットフォームの少なくとも１つのデバイス・ドライバを備える請求項１に記載の無線デバイス。
　　【請求項８】
　前記少なくとも１つのソフトウェア・オブジェクトは，前記コンピュータ・プラットフォームによってレンダリングされるコンテンツを備える請求項１に記載の無線デバイス。
　　【請求項９】
　前記メモリはファイル・システムを格納し，前記ソフトウェア・オブジェクトは前記ファイル・システムに格納される請求項１に記載の無線デバイス。
　　【請求項１０】
　前記メモリは，データベースを格納し，前記ソフトウェア・オブジェクトは，前記データベースに格納される請求項１に記載の無線デバイス。
　　【請求項１１】
　前記メモリは，不揮発性のメモリを備える請求項１に記載の無線デバイス。
　　【請求項１２】
　無線ネットワークを介してサーバと通信する無線デバイスであって，
　各々がそれぞれバージョンを有する複数のソフトウェア・オブジェクトをサポートするための，コンピュータ・プラットフォーム手段を備え，
　前記コンピュータ・プラットフォーム手段は，
　　前記複数のソフトウェア・オブジェクトを格納するメモリ手段と，
　　前記複数のソフトウェア・オブジェクトをサポートするための，前記メモリ手段に結合されたプロセッサ手段とを備え，
　前記プロセッサ手段は，
　　（ａ）前記メモリ手段に格納された前記複数のソフトウェア・オブジェクトの各々に関連付けられた前記バージョンをそれぞれ格納するデバイス・バージョン・サマリ・ファイルを前記メモリ手段内に生成し，
　　（ｂ）（ａ）の後，前記無線デバイスが，前記無線ネットワークによるサーバとの通信セッションを開くことと，バージョン更新トランザクションを実行し，前記バージョン更新トランザクションの後，前記通信セッションを閉じるように構成され，
　前記バージョン更新トランザクションは，
　　（ｂ）（１）前記無線デバイスへのダウンロードのために利用可能な前記サーバに格納された各ソフトウェア・オブジェクトに関連付けられたバージョンをそれぞれ格納するサーバ・バージョン・サマリ・ファイルを前記サーバが有するかどうかを判定することと，
　　（ｂ）（２）前記サーバがサーバ・バージョン・サマリ・ファイルを有していると判定された場合，前記サーバ・バージョン・サマリ・ファイルを検索することと，
　　前記デバイス・バージョン・サマリ・ファイルを前記サーバ・バージョン・サマリ・ファイルと自動的に比較して，前記メモリに格納された複数のソフトウェア・オブジェクトのうちのどれが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記ソフトウェア・オブジェクトの更新された各バージョンを，前記サーバから前記無線デバイスに自動的にダウンロードし，ダウンロードされ更新された各ソフトウェア・オブジェクトをインストールすることとを備える，
無線デバイス。
　　【請求項１３】
　無線デバイスのコンピュータ・プラットフォームのメモリ内に格納された複数のソフトウェア・オブジェクトを更新する方法であって，
　前記メモリに格納された各ソフトウェア・オブジェクトに関連付けられたバージョンをそれぞれ格納するデバイス・バージョン・サマリ・ファイルを，前記無線デバイス上に生成することと，
　前記生成することの後に，前記無線デバイスが，
　　（ａ）無線ネットワークを介した前記サーバとの通信セッションを開くことと，
　　（ｂ）（ａ）の後，バージョン更新トランザクションを実行することと，
　　（ｃ）（ｂ）の後，前記通信セッションを閉じることとを備え，
　前記バージョン更新トランザクションは，
　　（ｂ）（１）前記無線デバイスへのダウンロードのために利用可能な前記サーバに格納された各ソフトウェア・オブジェクトに関連付けられたバージョンをそれぞれ格納するサーバ・バージョン・サマリ・ファイルを前記サーバが有するかどうかを判定することと，
　　（ｂ）（２）前記サーバがサーバ・バージョン・サマリ・ファイルを有していると判定された場合，前記サーバ・バージョン・サマリ・ファイルを検索することと，
　　前記デバイス・バージョン・サマリ・ファイルを前記サーバ・バージョン・サマリ・ファイルと自動的に比較して，前記メモリに格納された複数のソフトウェア・オブジェクトのうちのどれが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記ソフトウェア・オブジェクトの更新された各バージョンを，前記サーバから前記無線デバイスに自動的にダウンロードし，ダウンロードされ更新された各ソフトウェア・オブジェクトをインストールすることとを備える，
方法。
　　【請求項１４】
　前記複数のソフトウェア・オブジェクトは，前記コンピュータ・プラットフォーム上での実行ための少なくとも１つのアプリケーションを備える請求項１３に記載の方法。
　　【請求項１５】
　前記少なくとも１つアプリケーションはゲームを備える請求項１４に記載の方法。
　　【請求項１６】
　前記少なくとも１つのアプリケーションは，前記サーバとともに確立された前の通信セッションの間に前記サーバからダウンロードされたアプリケーションを備える請求項１４に記載の方法。
　　【請求項１７】
　前記少なくとも１つのアプリケーションは，前記無線デバイスの製造の間に前記無線デバイスに提供されたアプリケーションを備える請求項１４に記載の方法。
　　【請求項１８】
　前記複数のソフトウェア・オブジェクトは，前記コンピュータ・プラットフォームの少なくとも１つのソフトウェア構成要素を備える請求項１３に記載の方法。
　　【請求項１９】
　前記複数のソフトウェア・オブジェクトは，前記コンピュータ・プラットフォームの少なくとも１つのデバイス・ドライバを備える請求項１３に記載の方法。
　　【請求項２０】
　前記少なくとも１つのソフトウェア・オブジェクトは，前記コンピュータ・プラットフォームによってレンダリングされるコンテンツを備える請求項１３に記載の方法。
　　【請求項２１】
　前記メモリはファイル・システムを格納し，前記ソフトウェア・オブジェクトは前記ファイル・システムに格納される請求項１３に記載の方法。
　　【請求項２２】
　前記メモリは，データベースを格納し，前記ソフトウェア・オブジェクトは，前記データベースに格納される請求項１３に記載の方法。
　　【請求項２３】
　前記メモリは，不揮発性のメモリを備える請求項１３に記載の方法。
　　【請求項２４】
　無線ネットワークを介してサーバと通信する無線デバイス上の複数のソフトウェア・オブジェクトを更新する方法であって，
　各々がそれぞれバージョンを有する前記複数のソフトウェア・オブジェクトをコンピュータ・プラットフォーム上に格納することを備え，
　前記コンピュータ・プラットフォームは前記無線デバイスに備えられ，
　前記方法は更に，
　　前記複数のソフトウェア・オブジェクトの各々に関連付けられた前記バージョンをそれぞれ格納するデバイス・バージョン・サマリ・ファイルを生成することと，
　　前記デバイス・バージョン・サマリ・ファイルを生成することの後に，前記無線デバイスが，
　　　（ａ）前記無線ネットワークを介した前記サーバとの通信セッションを開くことと，
　　　（ｂ）（ａ）の後，バージョン更新トランザクションを実行することと，
　　　（ｃ）（ｂ）の後，前記通信セッションを閉じることと
を備え，
　前記バージョン更新トランザクションは，
　　（ｂ）（１）前記無線デバイスへのダウンロードのために利用可能な前記サーバに格納された各ソフトウェア・オブジェクトに関連付けられたバージョンをそれぞれ格納するサーバ・バージョン・サマリ・ファイルを前記サーバが有するかどうかを判定することと，
　　（ｂ）（２）前記サーバがサーバ・バージョン・サマリ・ファイルを有していると判定された場合，前記サーバ・バージョン・サマリ・ファイルを検索することと，
　　前記デバイス・バージョン・サマリ・ファイルを前記サーバ・バージョン・サマリ・ファイルと自動的に比較して，前記無線デバイス上のどのソフトウェア・オブジェクトが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記ソフトウェア・オブジェクトの更新された各バージョンを，前記サーバから前記無線デバイスに自動的にダウンロードし，ダウンロードされ更新された各ソフトウェア・オブジェクトをインストールすることとを備える，
方法。
　　【請求項２５】
　無線ネットワークを介して無線デバイスと通信するサーバであって，
　各々がそれぞれバージョンを有する複数のソフトウェア・オブジェクトをサポートするための，コンピュータ・プラットフォームを備え，
　前記コンピュータ・プラットフォームは，
　　前記複数のソフトウェア・オブジェクトを格納するメモリと，
　　前記複数のソフトウェア・オブジェクトをサポートするための，前記メモリに結合されたプロセッサとを備え，
　前記プロセッサは，
　　（ａ）前記無線デバイスへのダウンロードのために利用可能な前記メモリに格納された前記複数のソフトウェア・オブジェクトの各々に関連付けられた前記バージョンをそれぞれ格納するサーバ・バージョン・サマリ・ファイルを前記メモリ内に生成するように構成され，
　　（ｂ）（ａ）の後，前記無線デバイスが，前記無線ネットワークによる前記サーバとの通信セッションを開き，バージョン更新トランザクションを実行し，前記バージョン更新トランザクションの後，前記通信セッションを閉じ，
　前記バージョン更新トランザクションは，
　　（ｂ）（１）前記無線デバイスが，前記サーバ・バージョン・サマリ・ファイルを前記サーバが有するかどうかを判定することと，
　　（ｂ）（２）前記サーバが，前記サーバ・バージョン・サマリ・ファイルを有していると判定された場合，前記無線デバイスが，前記サーバ・バージョン・サマリ・ファイルを検索することとを備え，
　前記無線デバイスは，前記デバイス・バージョン・サマリ・ファイルを前記サーバ・バージョン・サマリ・ファイルと自動的に比較して，前記無線デバイスに格納されたどのソフトウェア・オブジェクトが，前記メモリに格納された，更新されたバージョンを有するソフトウェア・オブジェクトに関連付けられているかを判定するように構成され，
　前記バージョン更新トランザクションはさらに，前記サーバ上に更新されたバージョンを有する少なくとも１つのソフトウェア・オブジェクトが前記無線デバイス上に存在する場合，前記ソフトウェア・オブジェクトの更新された各バージョンを，前記サーバから前記無線デバイスに自動的にダウンロードすることと，ダウンロードされ更新された各ソフトウェア・オブジェクトを前記無線デバイスにインストールすることとを備える，
サーバ。
　　【請求項２６】
　無線ネットワークを介して無線デバイスと通信するサーバであって，
　各々がそれぞれバージョンを有する複数のソフトウェア・オブジェクトをサポートするための，コンピュータ・プラットフォーム手段を備え，
　前記コンピュータ・プラットフォーム手段は，
　　前記複数のソフトウェア・オブジェクトを格納するメモリ手段と，
　　前記複数のソフトウェア・オブジェクトをサポートするための，前記メモリ手段に結合されたプロセッサ手段とを備え，
　前記プロセッサ手段は，
　　（ａ）前記無線デバイスへのダウンロードのために利用可能な，前記メモリ手段に格納された前記複数のソフトウェア・オブジェクトの各々に関連付けられた前記バージョンをそれぞれ格納するサーバ・バージョン・サマリ・ファイルを前記メモリ手段内に生成するように構成され，
　　（ｂ）（ａ）の後，前記無線デバイスが，前記無線ネットワークによる前記サーバとの通信セッションを開き，バージョン更新トランザクションを実行し，前記バージョン更新トランザクションの後，前記通信セッションを閉じ，
　前記バージョン更新トランザクションは，
　　（ｂ）（１）前記無線デバイスが，前記サーバ・バージョン・サマリ・ファイルを前記サーバが有するかどうかを判定することと，
　　（ｂ）（２）前記サーバが，前記サーバ・バージョン・サマリ・ファイルを有していると判定された場合，前記無線デバイスが，前記サーバ・バージョン・サマリ・ファイルを検索することとを備え，
　前記無線デバイスは，前記デバイス・バージョン・サマリ・ファイルを前記サーバ・バージョン・サマリ・ファイルと自動的に比較して，前記無線デバイスに格納されたどのソフトウェア・オブジェクトが，前記メモリ手段に格納された，更新されたバージョンを有するソフトウェア・オブジェクトに関連付けられているかを判定するように構成され，
　前記バージョン更新トランザクションはさらに，前記サーバ上に更新されたバージョンを有する少なくとも１つのソフトウェア・オブジェクトが前記無線デバイス上に存在する場合，前記ソフトウェア・オブジェクトの更新された各バージョンを，前記サーバから前記無線デバイスに自動的にダウンロードすることと，ダウンロードされ更新された各ソフトウェア・オブジェクトをインストールすることとを備える，
サーバ。
　　【請求項２７】
　複数のソフトウェア・オブジェクトの更新されたバージョンをサーバから無線デバイスへ送信するためのサーバのための方法であって，
　各々がそれぞれバージョンを有する前記複数のソフトウェア・オブジェクトをコンピュータ・プラットフォーム上に格納することを備え，
　前記方法は更に，
　　前記サーバが，前記無線デバイスへのダウンロードのために利用可能な前記複数のソフトウェア・オブジェクトの各々に関連付けられた前記バージョンをそれぞれ格納するサーバ・バージョン・サマリ・ファイルを生成することと，
　　前記サーバ・バージョン・サマリ・ファイルが生成された後に，前記無線デバイスが，
　　　（ａ）前記サーバとの通信セッションを開くことと，
　　　（ｂ）（ａ）の後，バージョン更新トランザクションを実行することと，
　　　（ｃ）（ｂ）の後，前記通信セッションを閉じることと
を備え，
　前記バージョン更新トランザクションは，
　　（ｂ）（１）前記無線デバイスが，少なくとも１つの前記サーバ・バージョン・サマリ・ファイルを前記サーバが有するかどうかを判定することと，
　　（ｂ）（２）前記サーバが，前記サーバ・バージョン・サマリ・ファイルを有していると判定された場合，前記無線デバイスが，前記サーバ・バージョン・サマリ・ファイルを検索することとを備え，
　前記無線デバイスは，前記デバイス・バージョン・サマリ・ファイルを前記サーバ・バージョン・サマリ・ファイルと自動的に比較して，前記無線デバイス上に格納されたどのソフトウェア・オブジェクトが，前記サーバに格納された，更新されたバージョンを有するソフトウェア・オブジェクトに関連付けられているかを判定するように構成され，
　前記バージョン更新トランザクションはさらに，前記サーバ上に前記更新されたバージョンを有する少なくとも１つのソフトウェア・オブジェクトが前記無線デバイス上に存在する場合，前記無線デバイスが，前記ソフトウェア・オブジェクトの更新された各バージョンを，前記サーバから自動的にダウンロードすることと，ダウンロードされ更新された各ソフトウェア・オブジェクトをインストールすることとを備える，
方法。
　　【請求項２８】
　コンピュータによって実行されると，前記コンピュータに動作を実行させるための命令群を記録しているコンピュータ読取可能な記録媒体であって，
　前記命令群は，
　　各々がそれぞれコンピュータ・プラットフォーム上にバージョンを有する複数のソフトウェア・オブジェクトを格納するための少なくとも１つの命令と，
　　前記サーバが，前記複数のソフトウェア・オブジェクトの各々に関連付けられた前記バージョンをそれぞれ格納するサーバ・バージョン・サマリ・ファイルを生成するための少なくとも１つの命令と，
　　前記生成の後に，前記無線デバイスが，
　　　（ａ）前記サーバとの通信セッションを開くための少なくとも１つの命令と，
　　　（ｂ）（ａ）の後，バージョン更新トランザクションを実行するための少なくとも１つの命令と，
　　　（ｃ）（ｂ）の後，前記通信セッションを閉じるための少なくとも１つの命令とを備え，
　前記バージョン更新トランザクションは，
　　（ｂ）（１）前記無線デバイスが，少なくとも１つの前記サーバ・バージョン・サマリ・ファイルを前記サーバが有するかどうかを判定するための少なくとも１つの命令と，
　　（ｂ）（２）前記サーバが，前記サーバ・バージョン・サマリ・ファイルを有していると判定された場合，前記無線デバイスが，前記サーバ・バージョン・サマリ・ファイルを検索するための少なくとも１つの命令とを備え，
　前記無線デバイスは，前記デバイス・バージョン・サマリ・ファイルを前記サーバ・バージョン・サマリ・ファイルと自動的に比較して，前記無線デバイスに格納されたどのソフトウェア・オブジェクトが，前記サーバに格納された，更新されたバージョンを有するソフトウェア・オブジェクトに関連付けられているかを判定するように構成され，
　前記バージョン更新トランザクションは更に，前記サーバ上に前記更新されたバージョンを有する少なくとも１つのソフトウェア・オブジェクトが前記無線デバイス上に存在する場合，前記無線デバイスが，前記ソフトウェア・オブジェクトの更新された各バージョンを，前記サーバから自動的にダウンロードするための少なくとも１つの命令と，ダウンロードされ更新された各ソフトウェア・オブジェクトをインストールするための少なくとも１つの命令とを備える，
コンピュータ読取可能な記録媒体。
　　【請求項２９】
　前記無線デバイスでの実行のために，前記複数のソフトウェア・オブジェクトにおいて，少なくとも１つのアプリケーションを定義するための少なくとも１つの命令を更に備える請求項２８に記載のコンピュータ読取可能な記録媒体。
　　【請求項３０】
　前記サーバを用いて確立された前の通信セッションの間に前記サーバからダウンロードされるように前記少なくとも１つのアプリケーションを定義するための少なくとも１つの命令を更に備える請求項２９に記載のコンピュータ読取可能な記録媒体。
　　【請求項３１】
　前記無線デバイスの製造の間に前記無線デバイスに前記少なくとも１つのアプリケーションを提供するための少なくとも１つの命令を更に備える請求項２９に記載のコンピュータ読取可能な記録媒体。
　　【請求項３２】
　前記無線デバイス上のソフトウェア・プラットフォームの少なくとも１つのソフトウェア構成要素を備えるように前記複数のソフトウェア・オブジェクトを定義するための少なくとも１つの命令を更に備える請求項２９に記載のコンピュータ読取可能な記録媒体。
　　【請求項３３】
　前記無線デバイスの少なくとも１つのデバイス・ドライバを備えるように前記複数のソフトウェア・オブジェクトを定義するための少なくとも１つの命令を更に備える請求項２９に記載のコンピュータ読取可能な記録媒体。
　　【請求項３４】
　前記無線デバイスによってレンダリングされるコンテンツとなるように少なくとも１つのソフトウェア構成要素を定義するための少なくとも１つの命令を更に備える請求項２９に記載のコンピュータ読取可能な記録媒体。
　　【請求項３５】
　無線デバイスのコンピュータ・プラットフォームのメモリ内に格納された複数のソフトウェア・オブジェクトを更新するための命令群が記録されたコンピュータ読取可能な記録媒体であって，
　前記命令群は，
　　前記メモリに格納された各ソフトウェア・オブジェクトに関連付けられたバージョンをそれぞれ格納するデバイス・バージョン・サマリ・ファイルを，前記無線デバイス上に生成するための少なくとも１つの命令と，
　　前記生成の後に，前記無線デバイスが，
　　　（ａ）無線ネットワークを介したサーバとの通信セッションを開くことと，
　　　（ｂ）（ａ）の後，バージョン更新トランザクションを実行することと，
　　　（ｃ）（ｂ）の後，前記通信セッションを閉じることと
を実行するための少なくとも１つの命令を備え，
　前記バージョン更新トランザクションは，
　　（ｂ）（１）前記無線デバイスが，前記無線デバイスへのダウンロードのために利用可能な前記サーバに格納された各ソフトウェア・オブジェクトに関連付けられたバージョンをそれぞれ格納するサーバ・バージョン・サマリ・ファイルを前記サーバが有するかどうかを判定するための少なくとも１つの命令と，
　　（ｂ）（２）前記サーバがサーバ・バージョン・サマリ・ファイルを有していると判定された場合，前記無線デバイスが，前記サーバ・バージョン・サマリ・ファイルを検索することと，
　　前記無線デバイスが，前記デバイス・バージョン・サマリ・ファイルを前記サーバ・バージョン・サマリ・ファイルと自動的に比較して，前記メモリに格納された複数のソフトウェア・オブジェクトのうちのどれが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記無線デバイスが，前記ソフトウェア・オブジェクトの更新された各バージョンを，前記サーバから前記無線デバイスに自動的にダウンロードし，ダウンロードされ更新された各ソフトウェア・オブジェクトをインストールすることと
を実行するための少なくとも１つの命令を備える，
コンピュータ読取可能な記録媒体。」
　（以下，この特許請求の範囲に記載された請求項を「補正前の請求項」という。）
を，
　
「　　【請求項１】
　無線ネットワークを介してサーバと通信する無線デバイスであって，
各々がそれぞれバージョンを有する複数のソフトウェア・オブジェクトをサポートするためのコンピュータ・プラットフォームを備え，
　前記コンピュータ・プラットフォームは，
　　前記複数のソフトウェア・オブジェクトを格納するメモリと，
　　前記複数のソフトウェア・オブジェクトをサポートするための，前記メモリに結合されたプロセッサとを備え，
　前記プロセッサは，
　　（ａ）前記メモリに格納された前記複数のソフトウェア・オブジェクトの各々に関連付けられた前記バージョンをそれぞれ格納するデバイス・バージョン・サマリ・ファイルを前記メモリ内に生成し，
　　（ｂ）（ａ）の後，前記無線デバイスが，前記無線ネットワークを介した前記サーバとの通信セッションを開くことと，バージョン更新処理を実行することと，前記バージョン更新処理の後，前記通信セッションを閉じる，ように構成され，
　前記バージョン更新処理は，
　　（ｂ）（１）前記無線デバイスへのダウンロードのために利用可能な前記サーバに格納された各ソフトウェア・オブジェクトに関連付けられたバージョンをそれぞれ格納するサーバ・バージョン・サマリ・ファイルを前記サーバが有するかどうかを判定することと，
　　（ｂ）（２）前記サーバがサーバ・バージョン・サマリ・ファイルを有していると判定された場合，前記サーバ・バージョン・サマリ・ファイルを検索することと，
　　前記デバイス・バージョン・サマリ・ファイルを前記サーバ・バージョン・サマリ・ファイルと自動的に比較して，前記メモリに格納された前記複数のソフトウェア・オブジェクトのうちのどれが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記少なくとも１つのソフトウェア・オブジェクトの更新された各バージョンを，前記サーバから前記無線デバイスに自動的にダウンロードし，ダウンロードされ更新された各ソフトウェア・オブジェクトをインストールすることとを備える，
無線デバイス。
　　【請求項２】
　前記複数のソフトウェア・オブジェクトは，前記コンピュータ・プラットフォームで実行するための少なくとも１つのアプリケーションを備える請求項１に記載の無線デバイス。
　　【請求項３】
　前記少なくとも１つアプリケーションはゲームを備える請求項２に記載の無線デバイス。
　　【請求項４】
　前記少なくとも１つのアプリケーションは，前記サーバとともに確立された前の通信セッションの間に前記サーバからダウンロードされたアプリケーションを備える請求項２に記載の無線デバイス。
　　【請求項５】
　前記少なくとも１つのアプリケーションは，前記無線デバイスの製造の間に前記無線デバイスに提供されたアプリケーションを備える請求項２に記載の無線デバイス。
　　【請求項６】
　前記複数のソフトウェア・オブジェクトは，前記コンピュータ・プラットフォームの少なくとも１つのソフトウェア構成要素を備える請求項１に記載の無線デバイス。
　　【請求項７】
　前記複数のソフトウェア・オブジェクトは，前記コンピュータ・プラットフォームの少なくとも１つのデバイス・ドライバを備える請求項１に記載の無線デバイス。
　　【請求項８】
　前記少なくとも１つのソフトウェア・オブジェクトは，前記コンピュータ・プラットフォームによってレンダリングされるコンテンツを備える請求項１に記載の無線デバイス。
　　【請求項９】
　前記メモリはファイル・システムを格納し，前記複数のソフトウェア・オブジェクトは前記ファイル・システムに格納される請求項１に記載の無線デバイス。
　　【請求項１０】
　前記メモリは，データベースを格納し，前記複数のソフトウェア・オブジェクトは，前記データベースに格納される請求項１に記載の無線デバイス。
　　【請求項１１】
　前記メモリは，不揮発性のメモリを備える請求項１に記載の無線デバイス。
　　【請求項１２】
　無線ネットワークを介してサーバと通信する無線デバイスであって，
　各々がそれぞれバージョンを有する複数のソフトウェア・オブジェクトをサポートするための，コンピュータ・プラットフォーム手段を備え，
　前記コンピュータ・プラットフォーム手段は，
　　前記複数のソフトウェア・オブジェクトを格納するメモリ手段と，
　　前記複数のソフトウェア・オブジェクトをサポートするための，前記メモリ手段に結合されたプロセッサ手段とを備え，
　前記プロセッサ手段は，
　　（ａ）前記メモリ手段に格納された前記複数のソフトウェア・オブジェクトの各々に関連付けられた前記バージョンをそれぞれ格納するデバイス・バージョン・サマリ・ファイルを前記メモリ手段内に生成し，
　　（ｂ）（ａ）の後，前記無線デバイスが，前記サーバとの通信セッションを開くことと，バージョン更新処理を実行し，前記バージョン更新処理の後，前記通信セッションを閉じるように構成され，
　前記バージョン更新処理は，
　　（ｂ）（１）前記無線デバイスへのダウンロードのために利用可能な前記サーバに格納された各ソフトウェア・オブジェクトに関連付けられたバージョンをそれぞれ格納するサーバ・バージョン・サマリ・ファイルを前記サーバが有するかどうかを判定することと，
　　（ｂ）（２）前記サーバがサーバ・バージョン・サマリ・ファイルを有していると判定された場合，前記サーバ・バージョン・サマリ・ファイルを検索することと，
　　前記デバイス・バージョン・サマリ・ファイルを前記サーバ・バージョン・サマリ・ファイルと自動的に比較して，前記メモリ手段に格納された前記複数のソフトウェア・オブジェクトのうちのどれが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記少なくとも１つのソフトウェア・オブジェクトの更新された各バージョンを，前記サーバから前記無線デバイスに自動的にダウンロードし，ダウンロードされ更新された各ソフトウェア・オブジェクトをインストールすることとを備える，
無線デバイス。
　　【請求項１３】
　無線デバイスのコンピュータ・プラットフォームのメモリ内に格納された複数のソフトウェア・オブジェクトを更新する方法であって，
　前記メモリに格納された各ソフトウェア・オブジェクトに関連付けられたバージョンをそれぞれ格納するデバイス・バージョン・サマリ・ファイルを，前記無線デバイス上に生成することと，
　前記生成することの後に，前記無線デバイスが，
　　（ａ）無線ネットワークを介したサーバとの通信セッションを開くことと，
　　（ｂ）（ａ）の後，バージョン更新処理を実行することと，
　　（ｃ）（ｂ）の後，前記通信セッションを閉じることとを備え，
　前記バージョン更新処理は，
　　（ｂ）（１）前記無線デバイスへのダウンロードのために利用可能な前記サーバに格納された各ソフトウェア・オブジェクトに関連付けられた第２のバージョンをそれぞれ格納するサーバ・バージョン・サマリ・ファイルを前記サーバが有するかどうかを判定することと，
　　（ｂ）（２）前記サーバがサーバ・バージョン・サマリ・ファイルを有していると判定された場合，前記サーバ・バージョン・サマリ・ファイルを検索することと，
　　前記デバイス・バージョン・サマリ・ファイルを前記サーバ・バージョン・サマリ・ファイルと自動的に比較して，前記メモリに格納された前記複数のソフトウェア・オブジェクトのうちのどれが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記少なくとも１つのソフトウェア・オブジェクトの更新された各バージョンを，前記サーバから前記無線デバイスに自動的にダウンロードし，ダウンロードされ更新された各ソフトウェア・オブジェクトをインストールすることとを備える，
方法。
　　【請求項１４】
　前記複数のソフトウェア・オブジェクトは，前記コンピュータ・プラットフォーム上での実行ための少なくとも１つのアプリケーションを備える請求項１３に記載の方法。
　　【請求項１５】
　前記少なくとも１つアプリケーションはゲームを備える請求項１４に記載の方法。
　　【請求項１６】
　前記少なくとも１つのアプリケーションは，前記サーバとともに確立された前の通信セッションの間に前記サーバからダウンロードされたアプリケーションを備える請求項１４に記載の方法。
　　【請求項１７】
　前記少なくとも１つのアプリケーションは，前記無線デバイスの製造の間に前記無線デバイスに提供されたアプリケーションを備える請求項１４に記載の方法。
　　【請求項１８】
　前記複数のソフトウェア・オブジェクトは，前記コンピュータ・プラットフォームの少なくとも１つのソフトウェア構成要素を備える請求項１３に記載の方法。
　　【請求項１９】
　前記複数のソフトウェア・オブジェクトは，前記コンピュータ・プラットフォームの少なくとも１つのデバイス・ドライバを備える請求項１３に記載の方法。
　　【請求項２０】
　前記少なくとも１つのソフトウェア・オブジェクトは，前記コンピュータ・プラットフォームによってレンダリングされるコンテンツを備える請求項１３に記載の方法。
　　【請求項２１】
　前記メモリはファイル・システムを格納し，前記複数のソフトウェア・オブジェクトは前記ファイル・システムに格納される請求項１３に記載の方法。
　　【請求項２２】
　前記メモリは，データベースを格納し，前記複数のソフトウェア・オブジェクトは，前記データベースに格納される請求項１３に記載の方法。
　　【請求項２３】
　前記メモリは，不揮発性のメモリを備える請求項１３に記載の方法。
　　【請求項２４】
　無線ネットワークを介してサーバと通信する無線デバイス上の複数のソフトウェア・オブジェクトを更新する方法であって，
　各々がそれぞれバージョンを有する前記複数のソフトウェア・オブジェクトをコンピュータ・プラットフォーム上に格納することを備え，
　前記コンピュータ・プラットフォームは前記無線デバイスに提供され，
　前記方法は更に，
　　前記複数のソフトウェア・オブジェクトの各々に関連付けられた前記バージョンをそれぞれ格納するデバイス・バージョン・サマリ・ファイルを生成することと，
　　前記デバイス・バージョン・サマリ・ファイルを生成することの後に，前記無線デバイスが，
　　　（ａ）前記無線ネットワークを介した前記サーバとの通信セッションを開くことと，
　　　（ｂ）（ａ）の後，バージョン更新処理を実行することと，
　　　（ｃ）（ｂ）の後，前記通信セッションを閉じることと
を備え，
　前記バージョン更新処理は，
　　（ｂ）（１）前記無線デバイスへのダウンロードのために利用可能な前記サーバに格納された各ソフトウェア・オブジェクトに関連付けられたバージョンをそれぞれ格納するサーバ・バージョン・サマリ・ファイルを前記サーバが有するかどうかを判定することと，
　　（ｂ）（２）前記サーバがサーバ・バージョン・サマリ・ファイルを有していると判定された場合，前記サーバ・バージョン・サマリ・ファイルを検索することと，
　　前記デバイス・バージョン・サマリ・ファイルを前記サーバ・バージョン・サマリ・ファイルと自動的に比較して，前記無線デバイス上のどのソフトウェア・オブジェクトが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記少なくとも１つのソフトウェア・オブジェクトの更新された各バージョンを，前記サーバから前記無線デバイスに自動的にダウンロードし，ダウンロードされ更新された各ソフトウェア・オブジェクトをインストールすることとを備える，
方法。
　　【請求項２５】
　無線ネットワークを介して無線デバイスと通信するサーバであって，
　各々がそれぞれバージョンを有する複数のソフトウェア・オブジェクトをサポートするための，コンピュータ・プラットフォームを備え，
　前記コンピュータ・プラットフォームは，
　　前記複数のソフトウェア・オブジェクトを格納するメモリと，
　　前記複数のソフトウェア・オブジェクトをサポートするための，前記メモリに結合されたプロセッサとを備え，
　前記プロセッサは，
　　（ａ）前記無線デバイスへのダウンロードのために利用可能な前記メモリに格納された前記複数のソフトウェア・オブジェクトの各々に関連付けられた前記バージョンをそれぞれ格納するサーバ・バージョン・サマリ・ファイルを前記メモリ内に生成するように構成され，
　　（ｂ）（ａ）の後，前記無線デバイスが，前記サーバとの接続を開き，バージョン更新処理を実行し，前記バージョン更新処理の後，前記通信セッションを閉じ，
　前記バージョン更新処理は，
　　（ｂ）（１）前記無線デバイスが，前記サーバ・バージョン・サマリ・ファイルを前記サーバが有するかどうかを判定することと，
　　（ｂ）（２）前記サーバが，前記サーバ・バージョン・サマリ・ファイルを有していると判定された場合，前記無線デバイスが，前記サーバ・バージョン・サマリ・ファイルを検索することとを備え，
　前記無線デバイスは，前記デバイス・バージョン・サマリ・ファイルを前記サーバ・バージョン・サマリ・ファイルと自動的に比較して，前記無線デバイスに格納されたどのソフトウェア・オブジェクトが，前記メモリに格納された，更新されたバージョンを有するソフトウェア・オブジェクトに関連付けられているかを判定するように構成され，
　前記バージョン更新処理はさらに，前記サーバ上に更新されたバージョンを有する少なくとも１つのソフトウェア・オブジェクトが前記無線デバイス上に存在する場合，前記少なくとも１つのソフトウェア・オブジェクトの更新された各バージョンを，前記サーバから前記無線デバイスに自動的にダウンロードすることと，ダウンロードされ更新された各ソフトウェア・オブジェクトを前記無線デバイスにインストールすることとを備える，
サーバ。
　　【請求項２６】
　無線ネットワークを介して無線デバイスと通信するサーバであって，
　各々がそれぞれバージョンを有する複数のソフトウェア・オブジェクトをサポートするための，コンピュータ・プラットフォーム手段を備え，
　前記コンピュータ・プラットフォーム手段は，
　　前記複数のソフトウェア・オブジェクトを格納するメモリ手段と，
　　前記複数のソフトウェア・オブジェクトをサポートするための，前記メモリ手段に結合されたプロセッサ手段とを備え，
　前記プロセッサ手段は，
　　（ａ）前記無線デバイスへのダウンロードのために利用可能な，前記メモリ手段に格納された前記複数のソフトウェア・オブジェクトの各々に関連付けられた前記バージョンをそれぞれ格納するサーバ・バージョン・サマリ・ファイルを前記メモリ手段内に生成し，
　　（ｂ）（ａ）の後，前記無線デバイスが，前記無線ネットワークによる前記サーバとの接続を開き，バージョン更新処理を実行し，前記バージョン更新処理の後，前記通信セッションを閉じるように構成され，
　前記バージョン更新処理は，
　　（ｂ）（１）前記無線デバイスが，サーバ・バージョン・サマリ・ファイルを前記サーバが有するかどうかを判定することと，
　　（ｂ）（２）前記サーバが，前記サーバ・バージョン・サマリ・ファイルを有していると判定された場合，前記無線デバイスが，前記サーバ・バージョン・サマリ・ファイルを検索することとを備え，
　前記無線デバイスは，前記デバイス・バージョン・サマリ・ファイルを前記サーバ・バージョン・サマリ・ファイルと自動的に比較して，前記無線デバイスに格納されたどのソフトウェア・オブジェクトが，前記メモリ手段に格納された，更新されたバージョンを有するソフトウェア・オブジェクトに関連付けられているかを判定するように構成され，
　前記バージョン更新処理はさらに，前記サーバ上に更新されたバージョンを有する少なくとも１つのソフトウェア・オブジェクトが前記無線デバイス上に存在する場合，前記少なくとも１つのソフトウェア・オブジェクトの更新された各バージョンを，前記サーバから前記無線デバイスに自動的にダウンロードすることと，ダウンロードされ更新された各ソフトウェア・オブジェクトをインストールすることとを備える，
サーバ。
　　【請求項２７】
　複数のソフトウェア・オブジェクトの更新されたバージョンをサーバから無線デバイスへ送信するための前記サーバのための方法であって，
　各々がそれぞれバージョンを有する前記複数のソフトウェア・オブジェクトをコンピュータ・プラットフォーム上に格納することを備え，
　前記方法は更に，
　　前記サーバが，前記無線デバイスへのダウンロードのために利用可能な前記複数のソフトウェア・オブジェクトの各々に関連付けられた前記バージョンをそれぞれ格納するサーバ・バージョン・サマリ・ファイルを生成することと，
　　前記サーバ・バージョン・サマリ・ファイルが生成された後に，前記無線デバイスが，
　　　（ａ）前記サーバとの通信セッションを開くことと，
　　　（ｂ）（ａ）の後，バージョン更新処理を実行することと，
　　　（ｃ）（ｂ）の後，前記通信セッションを閉じることと
を備え，
　前記バージョン更新処理は，
　　（ｂ）（１）前記無線デバイスが，サーバ・バージョン・サマリ・ファイルを前記サーバが有するかどうかを判定することと，
　　（ｂ）（２）前記サーバが，前記サーバ・バージョン・サマリ・ファイルを有していると判定された場合，前記無線デバイスが，前記サーバ・バージョン・サマリ・ファイルを検索することとを備え，
　前記無線デバイスは，前記デバイス・バージョン・サマリ・ファイルを前記サーバ・バージョン・サマリ・ファイルと自動的に比較して，前記無線デバイス上に格納されたどのソフトウェア・オブジェクトが，前記サーバに格納された，更新されたバージョンを有するソフトウェア・オブジェクトに関連付けられているかを判定するように構成され，
　前記バージョン更新処理はさらに，前記サーバ上に更新されたバージョンを有する少なくとも１つのソフトウェア・オブジェクトが前記無線デバイス上に存在する場合，前記無線デバイスが，前記少なくとも１つのソフトウェア・オブジェクトの更新された各バージョンを，前記サーバから自動的にダウンロードすることと，ダウンロードされ更新された各ソフトウェア・オブジェクトをインストールすることとを備える，
方法。
　　【請求項２８】
　コンピュータによって実行されると，前記コンピュータに動作を実行させるための命令群を記録しているコンピュータ読取可能な記録媒体であって，
　前記動作は，
　　各々がそれぞれコンピュータ・プラットフォーム上にバージョンを有する複数のソフトウェア・オブジェクトを格納することと，
　　サーバが，前記複数のソフトウェア・オブジェクトの各々に関連付けられた前記バージョンをそれぞれ格納するサーバ・バージョン・サマリ・ファイルを生成することと，
　　前記生成の後に，前記無線デバイスが，
　　　（ａ）前記サーバとの通信セッションを開くことと，
　　　（ｂ）（ａ）の後，バージョン更新処理を実行すること，
　　　（ｃ）（ｂ）の後，前記通信セッションを閉じることとを備え，
　前記バージョン更新処理は，
　　（ｂ）（１）前記無線デバイスが，サーバ・バージョン・サマリ・ファイルを前記サーバが有するかどうかを判定することと，
　　（ｂ）（２）前記サーバが，サーバ・バージョン・サマリ・ファイルを有していると判定された場合，前記無線デバイスが，前記サーバ・バージョン・サマリ・ファイルを検索することとを備え，
　前記無線デバイスは，前記デバイス・バージョン・サマリ・ファイルを前記サーバ・バージョン・サマリ・ファイルと自動的に比較して，前記無線デバイスに格納されたどのソフトウェア・オブジェクトが，前記サーバに格納された，更新されたバージョンを有するソフトウェア・オブジェクトに関連付けられているかを判定するように構成され，
　前記バージョン更新処理は更に，前記サーバ上に前記更新されたバージョンを有する少なくとも１つのソフトウェア・オブジェクトが前記無線デバイス上に存在する場合，前記無線デバイスが，前記少なくとも１つのソフトウェア・オブジェクトの更新された各バージョンを，前記サーバから前記無線デバイスに自動的にダウンロードすることと，ダウンロードされ更新された各ソフトウェア・オブジェクトをインストールすることとを備える，
コンピュータ読取可能な記録媒体。
　　【請求項２９】
　前記動作は，前記無線デバイスでの実行のために，前記複数のソフトウェア・オブジェクトにおいて，少なくとも１つのアプリケーションを定義することを更に備える請求項２８に記載のコンピュータ読取可能な記録媒体。
　　【請求項３０】
　前記動作は，前記サーバを用いて確立された前の通信セッションの間に前記サーバからダウンロードされるように前記少なくとも１つのアプリケーションを定義することを更に備える請求項２９に記載のコンピュータ読取可能な記録媒体。
　　【請求項３１】
　前記動作は，前記無線デバイスの製造の間に前記無線デバイスに前記少なくとも１つのアプリケーションを提供することを更に備える請求項２９に記載のコンピュータ読取可能な記録媒体。
　　【請求項３２】
　前記動作は，前記無線デバイス上のソフトウェア・プラットフォームの少なくとも１つのソフトウェア構成要素を備えるように前記複数のソフトウェア・オブジェクトを定義することを更に備える請求項２９に記載のコンピュータ読取可能な記録媒体。
　　【請求項３３】
　前記動作は，前記無線デバイスの少なくとも１つのデバイス・ドライバを備えるように前記複数のソフトウェア・オブジェクトを定義することを更に備える請求項２８に記載のコンピュータ読取可能な記録媒体。
　　【請求項３４】
　前記動作は，前記無線デバイスによってレンダリングされるコンテンツとなるように少なくとも１つのソフトウェア構成要素を定義することを更に備える請求項２８に記載のコンピュータ読取可能な記録媒体。
　　【請求項３５】
　無線デバイスのコンピュータ・プラットフォームのメモリ内に格納された複数のソフトウェア・オブジェクトを更新するための命令群が記録されたコンピュータ読取可能な記録媒体であって，前記命令群はコンピュータに動作を実行させ，
　前記動作は，
　　前記メモリに格納された各ソフトウェア・オブジェクトに関連付けられたバージョンをそれぞれ格納するデバイス・バージョン・サマリ・ファイルを，前記無線デバイス上に生成することと，
　　前記生成の後に，前記無線デバイスが，
　　　（ａ）無線ネットワークを介したサーバとの通信セッションを開くことと，
　　　（ｂ）（ａ）の後，バージョン更新処理を実行することと，
　　　（ｃ）（ｂ）の後，前記通信セッションを閉じることと
　　を備え，
　前記バージョン更新処理は，
　　（ｂ）（１）前記無線デバイスが，前記無線デバイスへのダウンロードのために利用可能な前記サーバに格納された各ソフトウェア・オブジェクトに関連付けられたバージョンをそれぞれ格納するサーバ・バージョン・サマリ・ファイルを前記サーバが有するかどうかを判定することと，
　　（ｂ）（２）前記サーバがサーバ・バージョン・サマリ・ファイルを有していると判定された場合，前記無線デバイスが，前記サーバ・バージョン・サマリ・ファイルを検索することと，
　　前記無線デバイスが，前記デバイス・バージョン・サマリ・ファイルを前記サーバ・バージョン・サマリ・ファイルと自動的に比較して，前記メモリに格納された前記複数のソフトウェア・オブジェクトのうちのどれが，前記サーバに格納された，更新されたバージョンを有するソフトウェア・オブジェクトに関連付けられているかを判定することと，
　　前記サーバ上に更新されたバージョンを有する少なくとも１つのソフトウェア・オブジェクトが前記無線デバイス上に存在する場合，前記無線デバイスが，前記少なくとも１つのソフトウェア・オブジェクトの更新された各バージョンを，前記サーバから前記無線デバイスに自動的にダウンロードし，ダウンロードされ更新された各ソフトウェア・オブジェクトをインストールすることと
を備える，
コンピュータ読取可能な記録媒体。」
　（以下，この特許請求の範囲に記載された請求項を「補正後の請求項」という。）
に補正するものである。
　
　また，さらに，平成２４年５月１４日付けの特許法第１８４条の４第１項の規定による翻訳文における明細書の段落【００３５】の記載
「　【００３５】
　本発明は，例えば，無線プラットフォーム５０，アプリケーションダウンロードサーバ１６，及びその他の任意のネットワークサーバ３０，３２のような無線ネットワーク１４の動作部を実行させることによって，機械読み取り可能な命令のシーケンスを実行する。この命令は，様々な種類の信号ベアリングまたはデータを記憶する第１，第２，又は第３の媒体に存在させることができる。例えば，この媒体は，無線ネットワーク１４の構成要素によってアクセス可能であるか，またはこの構成要素内に存在しているＲＡＭ（図示せず）を備えている。ＲＡＭ，ディスケット，あるいは他の２次記憶装置に含まれていようとも，この命令は，ＤＡＳＤ記憶装置（例えば，従来式の「ハードドライブ」又はＲＡＩＤアレイ），磁気テープ，電子的リードオンリーメモリ（例えば，ＲＯＭ，ＥＰＲＯＭ，又はＥＥＰＲＯＭ），フラッシュメモリカード，光学記憶装置（例えば，ＣＤ−ＲＯＭ，ＷＯＲＭ，ＤＶＤ，デジタル光学テープ），紙「パンチ」カード，又はデジタル及びアナログ送信媒体を含むその他の適切なデータ記憶媒体のような様々な機械読み取り可能なデータ記憶媒体に格納されうる。」
　
を，
　
「　【００３５】
　本発明は，例えば，無線プラットフォーム５０，アプリケーションダウンロードサーバ１６，及びその他の任意のネットワークサーバ３０，３２のような無線ネットワーク１４の動作部を実行させることによって，機械読み取り可能な命令のシーケンスを実行する。この命令は，様々な種類の信号ベアリングまたはデータを記憶する第１，第２，又は第３の媒体に存在させることができる。例えば，この媒体は，無線ネットワーク１４の構成要素によってアクセス可能であるか，またはこの構成要素内に存在しているＲＡＭ（図示せず）を備えている。ＲＡＭ，ディスケット，あるいは他の２次記憶装置に含まれていようとも，この命令は，ＤＡＳＤ記憶装置（例えば，従来式の「ハードドライブ」又はＲＡＩＤアレイ），磁気テープ，電子的リードオンリーメモリ（例えば，ＲＯＭ，ＥＰＲＯＭ，又はＥＥＰＲＯＭ），フラッシュメモリカード，光学記憶装置（例えば，ＣＤ−ＲＯＭ，ＷＯＲＭ，ＤＶＤ，デジタル光学テープ），紙「パンチ」カード，又はその他の適切なデータ記憶媒体のような様々な機械読み取り可能なデータ記憶媒体に格納されうる。」
に補正するものである。
　
　
２　新規事項追加禁止要件
（１）　補正後の請求項２４に記載された「前記コンピュータ・プラットフォームは前記無線デバイスに提供され」との技術事項が，特許法第１８４条の１２第２項において，同法第１７条の２第３項中の「願書に最初に添付した明細書，特許請求の範囲又は図面」とあるのを，これに読み替える旨規定されるものであるところの，上記平成２４年５月１４日付けの特許法第１８４条の４第１項の規定による翻訳文（以下「当初明細書等」と記す。）に記載されているか，又は当初明細書等の記載から自明な事項であるかについて，すなわち，当初明細書等に記載した事項の範囲内であるかについて検討する。
　
（２）　補正後の請求項２４の上記記載に対応する記載として，補正前の請求項２４には，「前記コンピュータ・プラットフォームは前記無線デバイスに備えられ」と記載されている。
　ここで，「備える」とは，「前もって整えておく」又は「具備する」との意味であるから，「備えられる」とは，前もって整えられている，又は具備されているとの状態を表す表現であって，「提供」とは，「相手に役立ててもらうために差し出すこと」の意味であるから，「提供される」とは，相手に役立ててもらうために差し出されるとの動作を表す表現であるといえる（いずれも，株式会社小学館 大辞泉第一版＜増補・新装版＞（平成１０年１１月２０日発行）に記載された用語の意味による。）。そして，「前記コンピュータ・プラットフォームは前記無線デバイス」に前もって整えられている，又は具備されているとの状態に関する記載から，「前記コンピュータ・プラットフォームは前記無線デバイス」に役立ててもらうために差し出されるとの動作が自明であるとはいえないから，補正前の請求項２４の上記記載から補正後の請求項２４の上記記載が自明であるということはできない。
　
（３）　本願の当初明細書等の段落【００１９】には「セルラ電話１２のような
無線デバイスは
コンピュータプラットフォーム５０を持っている
　また，「提供」との用語自体は，本願の当初明細書等の段落【００１０】には「異なる無線デバイス、アプリケーションダウンロードサーバ、第２のネットワークサーバ、及び格納されたアプリケーションデータベースとの間の通信を
提供
提供
提供
提供
提供
提供
提供
提供
提供
提供
　
（４）　してみると，当初明細書等のすべての記載を総合しても，上記「前記コンピュータ・プラットフォームは前記無線デバイスに提供され」との技術事項を導き出し得るものではなく，本件補正は，当初明細書等の記載の範囲内においてするものではない。
　
　
３　目的要件
（１）　本件補正は，上記「２　新規事項追加禁止要件」において検討したとおり当初明細書等の記載の範囲内においてするものではないので，特許法第１５９条第１項において読み替えて準用する同法第５３条第１項の規定により却下すべきものであるが，仮に，本件補正が，当初明細書等の記載の範囲内においてするものであるとすると，本件補正は，本件審判の請求と同時にする補正であり，上記第２のとおり特許請求の範囲についてする補正であるので，本件補正の目的を検討する。　
　
（２）　本件補正によって，補正前の請求項２５及び２６における，「（ｂ）（ａ）の後，前記無線デバイスが，前記無線ネットワークによる前記サーバとの通信セッションを開き」との記載が，補正後の請求項２５においては，「（ｂ）（ａ）の後，前記無線デバイスが，前記サーバとの接続を開き」との記載に補正され，補正後の請求項２６においては，「（ｂ）（ａ）の後，前記無線デバイスが，前記無線ネットワークによる前記サーバとの接続を開き」との記載に補正された。
　平成２５年８月７日付け拒絶査定において，補正前の請求項２５及び２６の上記記載箇所については，記載の不備等について何ら指摘されていないことから，平成２４年１１月３０日付け拒絶理由通知書において指摘された上記記載箇所についての拒絶理由（上記拒絶理由通知書における理由Ａ（２）及びＢ（２）の「ユーザ通信セッション」に関する指摘）は，補正前の請求項２５及び２６においては既に解消していたといえる。してみれば，補正前の請求項２５及び２６の上記記載箇所に対する拒絶の理由が示されていないのであるから，補正後の請求項２５及び２６の上記記載箇所に係る補正は，特許法第１７条の２第４項第４号の明りようでない記載の釈明（拒絶理由通知に係る拒絶の理由に示す事項についてするものに限る。）を目的とするものとはいえない。
　また，コンピュータ技術の分野において，「接続」との用語は，「通信セッション」が開始されるよりも前に行わなければならない処理を指す意味，又は，「通信セッション」が開始されるよりも前に行わなければならない処理と「通信セッション」を少なくとも含む意味であると通常は解される。してみれば，「通信セッション」との記載を「接続」との記載に変更する補正は，補正前の請求項２５及び２６の発明が備える発明特定事項を，異なる概念，又は上位概念となる発明特定事項に変更する補正であるといえるから，特許法第１７条の２第４項第２号の特許請求の範囲の減縮（第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る。）を目的とするものとはいえない。
　さらに，補正前の請求項２５及び２６の「通信セッション」との記載が，請求項の記載それ自体で，又は明細書の記載との関係で誤りであることが明らかであるともいえないし，「通信セッション」との記載に対して，「接続」との記載が正しい記載であることが自明な事項として定まるともいえない。してみれば，補正前の請求項２５及び２６の上記記載箇所には，そもそも誤記が存在するとはいえないのであるから，補正後の請求項２５及び２６の上記記載箇所に係る補正が，特許法第１７条の２第４項第３号の誤記の訂正を目的とするものとはいえない。
　加えて，補正前の請求項２５及び２６の上記記載箇所に係る補正が，特許法第１７条の２第４項第１号の請求項の削除に該当しないことは自明である。
　
（３）　本件補正によって，補正前の請求項２６における，
「　前記プロセッサ手段は，
　　（ａ）・・・（中略）・・・サーバ・バージョン・サマリ・ファイルを前記メモリ手段内に生成するように構成され，
　　（ｂ）（ａ）の後，前記無線デバイスが，前記無線ネットワークによる前記サーバとの通信セッションを開き，・・・（中略）・・・前記通信セッションを閉じ，」
との記載が，補正後の請求項２６においては，
「　前記プロセッサ手段は，
　　（ａ）・・・（中略）・・・サーバ・バージョン・サマリ・ファイルを前記メモリ手段内に生成し，
　　（ｂ）（ａ）の後，前記無線デバイスが，前記無線ネットワークによる前記サーバとの接続を開き，・・・（中略）・・・前記通信セッションを閉じるように構成され，」
との記載に補正された。
　してみれば，補正前の請求項２６に係る発明においては，「無線デバイス」が上記「（ｂ）」に係る処理を行うとされていたのに対し，補正後の請求項２６に係る発明においては，（「サーバ」が備える「コンピュータ・プラットフォーム手段」が備える）「プロセッサ手段」が上記「（ｂ）」に係る処理を「無線デバイス」が行うよう「構成」される，すなわち，サーバ側の「プロセッサ手段」の構成に基づいて上記「（ｂ）」に係る処理が行われるとされている。
　平成２５年８月７日付け拒絶査定において，補正前の請求項２６に係る発明において上記「（ｂ）」に係る処理に対するサーバ側の関与については，記載の不備等について何ら指摘されていないことから，平成２４年１１月３０日付け拒絶理由通知書において指摘された，上記「（ｂ）」に係る処理に対するサーバ側の関与についての拒絶理由（上記拒絶理由通知書における理由Ｃ（２））は，補正前の請求項２６においては既に解消していたといえる。してみれば，補正前の請求項２６に係る発明において上記「（ｂ）」に係る処理に対するサーバ側の関与に関する拒絶の理由が示されていないのであるから，補正後の請求項２６におけるサーバ側の「プロセッサ手段」の構成に基づいて上記「（ｂ）」に係る処理が行われる旨の補正は，特許法第１７条の２第４項第４号の明りようでない記載の釈明（拒絶理由通知に係る拒絶の理由に示す事項についてするものに限る。）を目的とするものとはいえない。
　また，本件補正によって，請求項に係る発明の態様が，「無線デバイス」が上記「（ｂ）」に係る処理を行う態様から，サーバ側の「プロセッサ手段」の構成に基づいて上記「（ｂ）」に係る処理が行われる態様に，明らかに変更されている。そして，発明の態様を異なる態様に変更する補正が，発明特定事項を限定するものであるとはいえないから，補正後の請求項２６の上記記載箇所に関する補正は，特許法第１７条の２第４項第２号の特許請求の範囲の減縮（第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る。）を目的とするものとはいえない。
　さらに，補正前の請求項２６の「無線デバイス」が上記「（ｂ）」に係る処理を行う旨の記載が，請求項の記載それ自体で，又は明細書の記載との関係で誤りであることが明らかであるともいえないし，「プロセッサ手段」が上記「（ｂ）」に係る処理を「無線デバイス」が行うよう「構成」される旨の記載が正しい記載であることが自明な事項として定まるともいえない。してみれば，補正前の請求項２６の上記記載箇所には，そもそも誤記が存在するとはいえないのであるから，補正後の請求項２６の上記記載箇所に係る補正が，特許法第１７条の２第４項第３号の誤記の訂正を目的とするものとはいえない。
　加えて，補正前の請求項２６の上記記載箇所に係る補正が，特許法第１７条の２第４項第１号の請求項の削除に該当しないことは自明である。
　
（４）　以上のとおりであるから，本件補正は，特許法第１７条の２第５項第１号の請求項の削除，同条同項第２号の特許請求の範囲の減縮（第３６条第５項の規定により請求項に記載した発明を特定するために必要な事項を限定するものであって，その補正前の当該請求項に記載された発明とその補正後の当該請求項に記載される発明の産業上の利用分野及び解決しようとする課題が同一であるものに限る。），同条同項第３号の誤記の訂正，同条同項第４号の明りようでない記載の釈明（拒絶理由通知に係る拒絶の理由に示す事項についてするものに限る。）を目的とするものに限られるものではなく，特許法第１７条の２第５項の規定に違反する。
　
　
４　独立特許要件
（１）　本件補正は，上記「２　新規事項追加禁止要件」において検討したとおり当初明細書等の記載の範囲内においてするものではないので，特許法第１５９条第１項において読み替えて準用する同法第５３条第１項の規定により却下すべきものであるが，仮に，本件補正が，当初明細書等の記載の範囲内においてするものであるとすると，補正前の請求項１の「無線ネットワークを介して通信する無線デバイスであって」との記載を，補正後の請求項１の「無線ネットワークを介してサーバと通信する無線デバイスであって」との記載に補正することは，特許法第１７条の２第４項第２号の特許請求の範囲の減縮（第３６条第５項の規定により請求項に記載した発明を特定するために必要な事項を限定するものであつて，その補正前の当該請求項に記載された発明とその補正後の当該請求項に記載される発明の産業上の利用分野及び解決しようとする課題が同一であるものに限る。）を目的とするものといえる。
　そこで，本件補正後の各請求項に係る発明が特許出願の際独立して特許を受けることができるものであるか否かについて以下に検討する。
　
（２）　特許法第３６条第６項第１号及び第２号について
ア　補正後の請求項２５には，「（ｂ）（ａ）の後，前記無線デバイスが，前記サーバとの接続を開き，バージョン更新処理を実行し，前記バージョン更新処理の後，前記通信セッションを閉じ」と記載され，補正後の請求項２６には，「（ｂ）（ａ）の後，前記無線デバイスが，前記無線ネットワークによる前記サーバとの接続を開き，バージョン更新処理を実行し，前記バージョン更新処理の後，前記通信セッションを閉じる」と記載されている。
　そして，補正後の請求項２５及び２６の上記記載を，その字句のとおりに解釈すると，「サーバとの接続を開き」，バージョン更新処理を実行した後に，「通信セッションを閉じ」る構成，すなわち，「サーバとの接続」を開いた後に，「サーバとの接続」とは異なる構成であって，どのタイミングで開かれたのかも特定されていない「通信セッション」を閉じる態様が記載されているといえる。してみれば，そのような態様においては，先に開かれる「サーバとの接続」と，後で閉じられる「通信セッション」との関係も不明であるし，先に開かれた「サーバとの接続」がその後どのように処理されるのかも，後で閉じられる「通信セッション」がいつ開かれるのかも不明であるといえる。したがって，そのような態様自体が不明確であるといえる。
　さらに，補正後の請求項２５及び２６の上記記載を，その字句のとおりの解釈とは異なる解釈をするべきであるとの格別の理由もないから，補正後の請求項２５及び２６に係る発明は不明確であるといえる。
　また，上記したように不明確な構成である，「サーバとの接続を開き」，バージョン更新処理を実行した後に，「通信セッションを閉じ」る構成は，本願の明細書のいずれにも記載されているとはいえない。よって，補正後の請求項２５及び２６の上記記載は，本願の発明の詳細な説明に記載されたものとはいえないから，補正後の請求項２５及び２６に係る発明は，本願の発明の詳細な説明に記載されたものではない。
　
イ　補正後の請求項２６には，「前記プロセッサ手段は，・・・（中略）・・・（ｂ）（ａ）の後，前記無線デバイスが，前記無線ネットワークによる前記サーバとの接続を開き，・・・（中略）・・・前記通信セッションを閉じるように構成され，」と記載されている。
　そして，補正後の請求項２６の上記記載を，その字句のとおりに解釈すると，「無線デバイス」が「サーバとの接続を開き」，「通信セッションを閉じる」ように「プロセッサ手段」が構成される態様が記載されているといえる。
　しかし，「無線デバイス」が「サーバとの接続を開き」，「通信セッションを閉じる」ように「プロセッサ手段」が構成されるとは，「プロセッサ手段」をどのように構成する態様を意味しているのかが，全く不明である。
　さらに，補正後の請求項２６の上記記載を，その字句のとおりの解釈とは異なる解釈をするべきであるとの格別の理由もないから，補正後の請求項２６に係る発明は不明確であるといえる。
　また，上記したように不明確な構成である，「無線デバイス」が「サーバとの接続を開き」，「通信セッションを閉じる」ように「プロセッサ手段」が構成される構成は，本願の明細書のいずれにも記載されているとはいえない。よって，補正後の請求項２６の上記記載は，本願の発明の詳細な説明に記載されたものとはいえないから，補正後の請求項２６に係る発明は，本願の発明の詳細な説明に記載されたものではない。
　
（３）　小括
　以上のとおり，補正後の請求項２５及び２６に係る発明は，明確でない。また，補正後の請求項２５及び２６に係る発明は，本願の発明の詳細な説明に記載されたものでもない。
　
　
５　補正却下の決定のむすび
　したがって，本件補正は，平成１４年法律第２４号改正附則第３条第１項によりなお従前の例によるとされる同法による改正前の特許法第１７条の２第３項の規定に違反するので，同法第１５９条第１項において読み替えて準用する同法第５３条第１項の規定により却下すべきものである。
　また，本件補正は，平成１８年法律第５５号改正附則第３条第１項によりなお従前の例によるとされる同法による改正前の特許法第１７条の２第４項の規定に違反するので，同法第１５９条第１項において読み替えて準用する同法第５３条第１項の規定により却下すべきものである。 
　さらに，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　
　
第３　本願発明について
１　本願発明
　平成２５年１２月２０日付けの手続補正は，上記のとおり却下されたので，本願の請求項に係る発明は，上記「第２　平成２５年１２月２０日付けの手続補正についての補正却下の決定」の［理由］の「１　補正の内容」に記載された補正前の請求項１〜請求項３５に記載された事項により特定されるものである。
　
　
２　特許法第１７条の２第３項について
（１）　平成２４年１１月３０日付け拒絶理由通知書（以下，「原審拒絶理由通知書」という。）によって通知された拒絶理由のうち特許法第１７条の２第３項についての拒絶理由の概要は下記のとおりのものである。
　
「（１）補正後の請求項１に記載された「（ｂ）（ａ）の後，前記無線デバイスが，前記無線ネットワークによるサーバとのユーザ通信セッションを要求することに応答して，前記サーバとの通信セッションを開くことと，バージョン更新トランザクションを実行することと，前記バージョン更新トランザクションの後，前記ユーザ通信セッションを開始し，その後，前記通信セッションを閉じる，ように構成され，前記バージョン更新トランザクションは，」は，外国語書面の翻訳文（又は誤訳訂正書による補正後の明細書，特許請求の範囲若しくは図面）（以下，「翻訳文等」という。）に記載した事項の範囲内にあるものではない。
　すなわち，翻訳文等には「ユーザ通信セッション」及び「バージョン更新トランザクション」についての記載は存在しておらず，また，上述したような具体的な構成が翻訳文等に記載した事項から自明であるということもできない。」
　
（２）　平成２５年２月７日付けで意見書が提出されると共に同日付けで手続補正がなされ，本願の請求項に係る発明は，補正前の請求項１〜請求項３５に補正された。
　平成２５年２月７日付け意見書による，上記特許法第１７条の２第３項についての拒絶理由に対する意見の概要は下記のとおりである。
　
「　審査官殿は，補正前の請求項１等に記載された「ユーザ通信セッション」及び「バージョン更新トランザクション」が明細書に記載されていないと指摘されています。
　しかしながら，「バージョン更新トランザクション」は，例えば図５のステップ８２〜１００に相当するトランザクションであります。したがって，「バージョン更新トランザクション」は，例えば図５のステップ８２〜１００および明細書の対応記載に開示されていると確信します。」
　
（３）　平成２５年８月７日付け拒絶査定において示された，原審拒絶理由通知書によって通知された拒絶理由のうち特許法第１７条の２第３項についての拒絶理由が解消していない理由の概要は下記のとおりである。
　
「［理由Ａ（１）及びＡ（２）並びにＢ（２）について］
　出願人は，意見書において，『しかしながら，「バージョン更新トランザクション」は，例えば図５のステップ８２〜１００に相当するトランザクションであります。したがって，「バージョン更新トランザクション」は，例えば図５のステップ８２〜１００および明細書の対応記載に開示されていると確信します。』と主張している。
　しかしながら，「トランザクション」とは，関連する複数の処理を一つの処理単位としてまとめたものであって，一連の作業を全体として一つの処理として管理するために用いられ，また，トランザクションとして管理された前記処理は「すべて成功」か「すべて失敗」のいずれかであることが保証されるようなものとして理解される。（参考：http://e-words.jp/w/E38388E383A9E383B3E382B6E382AFE382B7E383A7E383B3.html）
　そうすると，単に，複数の処理から構成された処理の流れから任意に取り出した所望の処理部分を「トランザクション」と呼べるものではないのであって，その一方，本願の翻訳文等には「トランザクション」という明示的な記載は存在しておらず，また，前記ステップ８２〜１００の処理について，成功（コミット）や失敗（アボート）に係る管理・制御を行うことが翻訳文等に記載も示唆もされていないのだから，出願人の主張は採用できるものではない。
　よって，補正後の請求項１，１２，１３，２４〜２６に記載された「バージョン更新トランザクション」に係る発明特定事項は，翻訳文等に記載された範囲内にあるものではなく，また，発明の詳細な説明に記載されているものでもない。
　よって，当該理由は，依然として解消していないといえる。」
　
（４）　そこで，上記原審拒絶理由通知書の特許法第１７条の２第３項についての拒絶理由が解消されたか否かについて検討する。
　
ａ　コンピュータ技術の分野において，「トランザクション」との用語は，互いに関連又は依存する複数の処理を連結して，一体不可分の処理単位としてまとめたものであって，当該処理単位に含まれる処理は「すべて成功」か「すべて失敗」のいずれかであることが常に保証されるものを意味する技術用語として理解されるのが通常である。してみると，単に，複数の処理から構成される一連の処理の流れから任意に取り出した所望の処理部分は，「トランザクション」と呼ぶことができるものとはいえないことが，コンピュータ技術の分野における技術常識である。
　そして，補正前の請求項１には「前記プロセッサは，・・・（中略）・・・（ｂ）（ａ）の後，前記無線デバイスが，前記無線ネットワークを介したサーバとの通信セッションを開くことと，バージョン更新トランザクションを実行することと，前記バージョン更新トランザクションの後，前記通信セッションを閉じる，ように構成され」と記載されており，補正前の請求項１に係る発明がコンピュータ技術の分野における発明であることは自明であるから，補正前の請求項１に記載された「トランザクション」との用語は，上記した技術用語としての「トランザクション」であると解されるといえる。
　
ｂ　当初明細書等の全体を参酌しても，「トランザクション」との用語自体は，全く記載されていない。
　そこで，「通信セッション」を開いた後であって，当該「通信セッション」を閉じる前に行われる処理を，コンピュータ技術の分野における技術用語としての「トランザクション」と呼ぶことができるような一体不可分である処理として取り扱うとの技術思想が，当初明細書等に記載されているかについて検討する。
　
ｃ　平成２５年２月７日付け意見書においては，上記（２）に示したように，「「バージョン更新トランザクション」は，例えば図５のステップ８２〜１００に相当するトランザクションであります。したがって，「バージョン更新トランザクション」は，例えば図５のステップ８２〜１００および明細書の対応記載に開示されていると確信します。」と主張されている。
　そして，本願の明細書には，図５に関して，
「　【００２６】
　例えばセルラ電話１２のような無線デバイスにおいて実行している具体的な処理は，図５のフローチャートに示されている。無線デバイス１２，１８，２０，２２は，
ステップ８０に示すように，アプリケーションダウンロードサーバ１６（または他のネットワークサーバ）への接続をブリッジする
判定部８２に示すように，ダウンロードサーババージョンデータセット更新サマリファイル７０が存在するかを判定する
　【００２７】
　その後，判定部９０に示すように，ダウンロードサーバ常駐データセットが，無線デバイス常駐データセットよりもより最新のバージョンであるかが判定される。もしも判定部９０において，ダウンロードサーバデータセットが，より最新のものではないと判定された場合には，処理は，ステップ８８に戻り，次のダウンロードサーバ常駐データセットバージョンが取得される。もしも判定部９０において，ダウンロードサーバ常駐データセットが，より最新のものと判定された場合には，ステップ９２に示すように，無線デバイスは，ダウンロードサーバから，より最新のバージョンのデータセットをコンピュータプラットフォーム５０にダウンロードする。判定部９４では，より最新のバージョンのデータセットであるかが判定される。判定部９４において，より最新のバージョンのデータセットがダウンロードされなかった場合には，ステップ９６に示すように，この無線デバイスのユーザには，より最新のデータセットバージョンのダウンロードが失敗したことが通知され，処理は，判定部９８に進む。あるいは，判定部９４において，より最新のデータセットバージョンがダウンロードされたと判定された場合には，判定部９８に示すように，無線デバイス１２，１８，２０，２２上に常駐するデータセットに対してパラレルであるデータセットが更にダウンロードサーバに常駐しているかが判定される。
　【００２８】
　判定部９８において，ダウンロードサーバ上に更にパラレルデータセットが存在すると判定された場合には，この処理はステップ８８に進み，別のパラレルダウンロードサーバ常駐データセットが取得される。判定部９８において，もはやパラレルダウンロードサーバ常駐データベースが存在しないと判定された場合には，
ステップ１００に示すように，ダウンロードされたデータベースが無線デバイス１２，１８，２０，２２のコンピュータプラットフォーム５０にインストールされ，統合される
ステップ１０２において相互接続が開始された後，バージョン更新処理が終了する
と記載されている。（当審注：下線は，参考のために当審で付与したものである。）
　してみれば，「例えば図５のステップ８２〜１００」に，バージョン更新に関係する一連の処理が記載されていることは確かであるといえる。
　
ｄ　しかしながら，単なる任意の一連の処理を技術用語としての「トランザクション」ということができないことは，上記ａに示したとおりである。
　そして，図５に記載されたステップ８０〜ステップ１０２の一連の処理には，ステップ８０における「アプリケーションダウンロードサーバ１６（または他のネットワークサーバ）への接続をブリッジ」する処理，すなわち「サーバとの通信セッションを開く」処理が少なくとも含まれることから，図５に記載されたステップ８０〜ステップ１０２の一連の処理の全体を，一体不可分な処理単位としての「バージョン更新トランザクション」とみなすことができないことは，自明である。
　さらに，図５に記載されたステップ８０〜ステップ１０２のうち，ステップ８２〜ステップ１００の一連の処理（又は，それ以外の任意の部分からなる一連の処理）を取り出して，一体不可分な処理単位としての「トランザクション」として取り扱うことについては，当初明細書等の全体を参酌しても，記載も示唆もされていない。
　よって，図５に記載されたステップ８０〜ステップ１０２の処理の全部又は一部を一体不可分な処理単位としての「トランザクション」として取り扱うことについては，当初明細書等に記載も示唆もされていない。さらに，図５に記載されたステップ８０〜ステップ１０２の処理以外の構成を「バージョン更新トランザクション」として取り扱うことも，当初明細書等に記載も示唆もされていない。
　
ｅ　してみると，当初明細書等のすべての記載を総合しても，補正前の請求項１の上記「バージョン更新トランザクション」との技術事項を導き出し得るものではなく，平成２５年２月７日付け手続補正書による補正は，当初明細書等の記載の範囲内においてするものではない。
　したがって，原審拒絶理由通知書の理由Ａ（特許法第１７条の２第３項）において指摘した拒絶理由は解消されていない。
　
　
３　特許法第３６条第６項第１項について
　
　上記「２　特許法第１７条の２第３項について」に記載したとおり，補正前の請求項１の「バージョン更新トランザクション」との技術事項は，当初明細書等のすべての記載を総合しても導き出し得るものではない。そして，平成２５年１２月２０日付けの手続補正は，上記「第２　平成２５年１２月２０日付けの手続補正についての補正却下の決定」のとおり却下されたので，本願の明細書は，当初明細書等のとおりである。
　してみれば，当初明細書等のすべての記載を総合しても導き出し得るものではない，補正前の請求項１の「バージョン更新トランザクション」との技術事項が，当初明細書等のとおりである本願の明細書に記載されたものではないことは明らかであるといえる。
　したがって，原審拒絶理由通知書の理由Ｂ（第３６条第６項第１号）において指摘した拒絶理由は解消されていない。
　
　
４　特許法第３６条第６項第２号について
（１）　原審拒絶理由通知書によって通知された拒絶理由のうち特許法第３６条第６項第２号についての拒絶理由の概要は下記のとおりのものである。
　
「（４）請求項３０〜３７に記載された「非一時的なコンピュータ読取可能な媒体」について，発明の詳細な説明には「非一時的な」という記載は存在していないが，そのような媒体について，明細書第３４〜３５段落を参酌すると，「コンピュータ読み取り可能な媒体」は「記憶媒体」とすることができ，また，前記「記憶媒体」には「デジタル及びアナログ送信媒体」を含むとも説明されている結果，発明が明確でない。」
　
（２）　平成２５年２月７日付けで意見書が提出されると共に同日付けで手続補正がなされ，本願の請求項に係る発明は，補正前の請求項１〜請求項３５に補正された。
　平成２５年２月７日付け意見書による，上記特許法第３６条第６項第２号についての拒絶理由に対する意見の概要は下記のとおりである。
　
「（４）補正後の請求項２８〜３５のカテゴリは，「コンピュータ読取可能な記録媒体」と補正されておりますので，当該指摘は解消されると確信します。」
　
（３）　平成２５年８月７日付け拒絶査定において示された，原審拒絶理由通知書によって通知された拒絶理由のうち特許法第３６条第６項第２号についての拒絶理由が解消していない理由の概要は下記のとおりである。
　
「［理由Ｃ（４）について］
　出願人は，意見書において，『補正後の請求項２８〜３５のカテゴリは，「コンピュータ読取可能な記録媒体」と補正されておりますので，当該指摘は解消されると確信します。』と主張している。
　しかしながら，補正前の翻訳文等には「記録媒体」や「記録」するという明示的な記載は存在していなかったため，補正後の「記録媒体」に属する事物の範囲が「記憶媒体」を含まないことが明確になったとはいえない。
　一方，本願の明細書第３５段落には，「デジタル及びアナログ送信媒体を含む…記憶媒体」という記載が依然として存在しているから，本願の「記憶媒体」は，このように定義された媒体を意味していると理解されうるものである。
　以上のことからみて，補正後の「記録媒体」が「送信媒体」を含まないことが補正により明確になったとはいえないから，当該理由も，依然として解消していないといわざるを得ない。
［参考：審査基準第Ｉ部第１章2.2.2.1(4)及び第VII部第１章3.1事例1-5］」
　
（４）　そこで，上記原審拒絶理由通知書の特許法第３６条第６項第２号についての拒絶理由が解消されたか否かについて検討する。
　
ａ　補正前の請求項２８には，
「　コンピュータによって実行されると，前記コンピュータに動作を実行させるための命令群を記録しているコンピュータ読取可能な記録媒体であって，
・・・（中略）・・・
コンピュータ読取可能な記録媒体。」
と記載されている。
　そして，「コンピュータ読取可能な記録媒体」との用語は，一般的な技術用語として，一応明確であるといえる。一方，明細書には，「記録媒体」との記載自体がみられないことから，「コンピュータ読取可能な記録媒体」との用語の明示的な定義は記載されていないといえる。
　
ｂ　平成２５年１２月２０日付けの手続補正は，上記「第２　平成２５年１２月２０日付けの手続補正についての補正却下の決定」のとおり却下されたので，明細書の段落【００３５】には，
「本発明は，例えば，無線プラットフォーム５０，アプリケーションダウンロードサーバ１６，及びその他の任意のネットワークサーバ３０，３２のような無線ネットワーク１４の動作部を実行させることによって，機械読み取り可能な命令のシーケンスを実行する。・・・（中略）・・・この命令は，ＤＡＳＤ記憶装置（例えば，従来式の「ハードドライブ」又はＲＡＩＤアレイ），磁気テープ，電子的リードオンリーメモリ（例えば，ＲＯＭ，ＥＰＲＯＭ，又はＥＥＰＲＯＭ），フラッシュメモリカード，光学記憶装置（例えば，ＣＤ−ＲＯＭ，ＷＯＲＭ，ＤＶＤ，デジタル光学テープ），紙「パンチ」カード，又はデジタル及びアナログ送信媒体を含むその他の適切なデータ記憶媒体のような様々な機械読み取り可能なデータ記憶媒体に格納されうる。」
と記載されている。
　そして，明細書の段落【００３５】の記載における「無線ネットワーク１４の動作部」が「コンピュータ」であることは，当業者にとって自明であるから，明細書の段落【００３５】には，コンピュータを実行させるための「機械読み取り可能な命令」を「ＤＡＳＤ記憶装置（例えば，従来式の「ハードドライブ」又はＲＡＩＤアレイ）・・・（中略）・・・又はデジタル及びアナログ送信媒体を含むその他の適切なデータ記憶媒体のような様々な機械読み取り可能なデータ記憶媒体に格納」することが記載されているといえる。
　そこで，明細書の段落【００３５】の上記記載を補正前の請求項２８の記載と比較すると，明細書の段落【００３５】に記載された「機械読み取り可能なデータ記憶媒体」は，コンピュータに動作を実行させるための命令を記録するものであるといえるから，補正前の請求項２８に記載された「コンピュータ読取可能な記録媒体」の実施の形態として記載されたものであると解することができる。してみると，明細書の段落【００３５】の上記記載は，補正前の請求項２８に記載された「コンピュータ読取可能な記録媒体」の説明であるともいえる。
　
ｃ　よって，補正前の請求項２８の「コンピュータ読取可能な記録媒体」には，その説明として明細書の段落【００３５】に記載された「ＤＡＳＤ記憶装置（例えば，従来式の「ハードドライブ」又はＲＡＩＤアレイ）」又は「デジタル及びアナログ送信媒体」が含まれると解することができる。
　しかしながら，「ＤＡＳＤ記憶装置（例えば，従来式の「ハードドライブ」又はＲＡＩＤアレイ）」は，命令を記録する機能を備えるものである一方，「デジタル及びアナログ送信媒体」は命令を伝送する機能を備えるものといえる。してみれば，「ＤＡＳＤ記憶装置（例えば，従来式の「ハードドライブ」又はＲＡＩＤアレイ）」又は「デジタル及びアナログ送信媒体」が含まれる補正前の請求項２８の「コンピュータ読取可能な記録媒体」は，命令を記録する機能を備えるものと，命令を伝送する機能を備えるものを，択一的に含むものといえる。
　
ｄ　してみると，補正前の請求項２８に係る発明は，互いに類似の性質又は機能を有していない事項が択一的に表現されているために，一の技術思想としての発明を明確に把握することができない。
　したがって，原審拒絶理由通知書の理由Ｃ（第３６条第６項第２号）において指摘した拒絶理由は解消されていない。
　
　
５　むすび
　上記「２　特許法第１７条の２第３項について」のとおり，平成２５年２月７日付けの手続補正による本願の請求項１に係る補正は，特許法第１７条の２第３項の要件を満たしていないものであり，上記「３　特許法第３６条第６項第１項について」のとおり，本願の請求項１の記載は，特許法第３６条第６項第１号の要件を満たしていないものであり，上記「４　特許法第３６条第６項第２号について」のとおり，本願の請求項２８の記載は，特許法第３６条第６項第２号の要件を満たしていないものである。したがって，他の請求項に係る発明について検討するまでもなく，本願は拒絶されるべきものである。
　よって，結論のとおり審決する。